(57)【要約】サイフォン排水装置が記載されている。装置は、摺動導管を排出導管に組合わせることによって、前記サイフォンを始動するため、水のジェット流、弁装置またはピストンの必要なしに、水槽の排水作用中サイフォンの形成を可能にする。さらに、本発明の装置はそれが不作動位置にあるとき排水管内への漏洩なしに維持することができ、水槽の供給弁が故障するとき過剰の水を排出するため付加的溢流排出管を必要としない。
2004520506.tif 000002
【特許請求の範囲】
【請求項１】
水槽の底面を越えて上方に延長しかつ水槽の最高水位より低い高さを有する排出導管、摺動導管であって前記摺動導管の底部が排出導管の頂部にあるとき水槽の最高水位上方に上昇するのに十分な長さを有し、摺動導管は排出導管と同心にあり、かつ前記排出導管を収容するのに十分な断面積を有する前記摺動導管、摺動導管の頂部に向って水流を指向することによりサイフォンを開始しかつ維持するための流れ指向要素、排出および摺動導管の間にシールを形成するためのシール装置、摺動導管を流れ指向要素に接合するためのまた水流を可能にするため摺動導管の頂部と流れ指向要素の間に空間を形成するための固定装置、前記流れ指向要素を摺動導管に沿って上方に動かすためのフロート装置、摺動導管が排出導管を越えて上方に動くことを阻止するための第１停止装置、および、摺動導管が下方に動かされるとき摺動導管がシール装置の底部に達するのを阻止するための第２停止装置よりなるサイフォン排水装置。
【請求項２】
排出導管が水槽内の最高水位の高さのほぼ半分の高さまで延長する請求項１に記載されたサイフォン排水装置。
【請求項３】
シール装置がさらにシール装置を前記導管に接合する湖底装置を有する請求項１に記載されたサイフォン排水装置。
【請求項４】
固定装置が接着装置、機械的装置およびその組合わせから選択される請求項３に記載されたサイフォン排水装置。
【請求項５】
接着装置が接触接着材である請求項４に記載されたサイフォン排水装置。
【請求項６】
機械的装置がクランプ、ピン、ボルト、止め金およびその組合わせから選択される請求項４に記載されたサイフォン排水装置。
【請求項７】
シール装置がスリーブである請求項３に記載されたサイフォン排水装置。
【請求項８】
固定装置が、それぞれスリーブの上下端に設置された一対の周辺クランプであり、前記クランプがそれぞれその端部によってスリーブを排出導管および摺動導管にクランプし、それによりクランプによって発生される圧力によりスリーブと導管との完全なシールを形成する請求項７に記載されたサイフォン排水装置。
【請求項９】
スリーブが可撓性材料から作られている請求項７に記載されたサイフォン排水装置。
【請求項１０】
可撓性材料がゴムラテックスである請求項９に記載されたサイフォン排水装置。
【請求項１１】
スリーブはそれを縦方向に収縮および伸長可能にする構造を有する請求項９に記載されたサイフォン排水装置。
【請求項１２】
スリーブはその側壁に沿ってジグザグパターンを有し、前記スリーブは摺動導管か排水および充填作用中上下に動かされるとき圧縮および膨張されるが、水を漏洩から阻止するためなおシール状態を維持する請求項１１に記載されたサイフォン排水装置。
【請求項１３】
固定装置が好適にはボルト、ピン、突起、フランジ、ねじ要素およびその組合わせから選択される請求項１に記載されたサイフォン排水装置。
【請求項１４】
固定装置が導管を流れ指向要素の上端と一体の複数のボルトであり、各ボルトがさらに前記流れ指向要素をボルトに固定するための固定要素を有する請求項１３に記載されたサイフォン排水装置。
【請求項１５】
固定要素がナットである請求項１４に記載されたサイフォン排水装置。
【請求項１６】
第１停止装置が好適には摺動導管底部の第１周辺突出部分であり、第２停止装置が排出導管の頂部の第２周辺突出部分であり、第２停止装置が第１停止装置の同じ第１周辺突出部分および排出導管の下方部分に設置された第３周辺突出部分よりなり、それゆえ排出導管において第２および第３周辺突出部分の間に摺動通路を形成する請求項１に記載されたサイフォン排水装置。
【請求項１７】
フロート装置が流れ指向要素の側壁の反対側に設置された一対のフロートである請求項１に記載されたサイフォン排水装置。
【請求項１８】
フロート装置が流れ指向要素の周りに設置された単一のフロートである請求項１に記載されたサイフォン排水装置。
【請求項１９】
流れ指向要素が適宜の高さまで便器を充填するため摺動導管内に直接終わるホースを導入するための開口を有する請求項１に記載されたサイフォン排水装置。
【請求項２０】
開口が流れ指向要素の頂部に設置される請求項１９に記載されたサイフォン排水装置。
【請求項２１】
流れ指向要素が押下げ装置によって押下げられる請求項１に記載されたサイフォン排水装置。
【請求項２２】
押下げ装置が垂直軸である請求項２１に記載されたサイフォン排水装置。
【請求項２３】
押下げ装置が流れ指向要素を押下げるため上方に引かれるレバーである請求項２１に記載されたサイフォン排水装置。
【発明の詳細な説明】
【技術分野】
【０００１】
本発明は水槽の排水をするための技術、とくにサイフォン排水装置に関するものである。
【背景技術】
【０００２】
広く知られているように、いくつかの型の排水装置が、トイレットの水槽を排水するため使用されてきた。
【０００３】
それにもかかわらず、現在まで知られてきたほとんどすべての排水装置の主要な課題は漏洩である。最近の発展のあるものは、水をその洗浄のため水槽から便器へ水の排出を開始するためサイフォン理論に関連することにより、排水作用のもっともよい実施を与えることを意図している。
【０００４】
上記の一例は米国特許第３８５１３３８号であり、その明細書には、サイフォンが排水タンクを空にしタンクが満たされそしてふたたび排水されるまで不作動になるトイレット用排水装置が記載されている。この装置は室内に摺動可能に取り付けられるフロートを有し、フロートは排水のため押下げられるとき水がフロート室からサイフォンに、入口弁から単独でまたは水とともに排水タンクを空にするためサイフォン作用を開始するように取付けられている。
【０００５】
上記の発明は、水の供給に失敗が起るときタンクから入口管内への逆流を阻止するための装置を必要とする不便が存在する。さらに、サイフォンの形状は要素およびスペースの双方に関連して複雑な構造を必要とする。
【０００６】
従来技術の解析によって示されるように、排水のためサイフォンを使用する公知の装置の間の主要な差異は、最終的に排水するとき一層よい作用を可能にするサイフォンが形成される方法にある。
【０００７】
サイフォン構造の別の例は、米国特許第４０２４５８９号である。この特許発明は、上方脚部内に供給し、水位に応答しかつ供給流を排水作用の完了後に供給ジェットタンクを再充填するため向きを変えるように作用する供給ジェットを備えたサイフォン型のフラップ−フロート弁を有する、排水型のサイフォン弁を開示している。好適な実施例において、フロート−フラップ弁のフロートは、排水作用の完全な完了後のみに作用することを保証するために室内に配置されている。
【０００８】
上記発明は、従来技術において周知のように、流入水中に直接置かれるフラップ弁およびサイフォン作用を開始するためジェット流を備えたサイフォンとの組み合わせである。しかしながら、それを補修しかつ維持することを困難にする複雑な構造を有する不便さを有する。さらに、その機能はフラップ−フロート弁の有効性にいちじるしく依存し、弁自体容易に漏洩を生じ易い。
【０００９】
同様に、英国特許第２０４１４２１号は排水ピストンならびに“Ｕ”字型構造を有するトイレットを排水するための別のサイフォンユニットを記載している。サイフォン管の一方のアームは水槽内の液体の水位に対応する水位まで充填するため水槽と連通するための入口を形成している。出口を形成する他方のアームは、排水のための排出を可能にしている。この装置の主要な不便さは、入口に形成それる室内側におけるピストンの必要性である。それゆえ、ピストンにおけるきわめてよいシールおよび水を押出してサイフォンを形成するためかなりの力を必要とする。さらに、装置の補修がきわめて複雑である。
【００１０】
前記に記載されたものと同様の構造を有するが、水を装置内に押込む弁においてある相違点を有する、他の“Ｕ”字型サイフォン装置は、米国特許第４２６６９２４号明細書に開示されている。
【００１１】
サイフォン集合体が二つの部分よりなる水槽の排水をする他の種類のサイフォン集合体は、英国特許第２１６７７７８号明細書に記載されている。第１の部分はサイフォン導管下方脚部を含み、該下方端部は水槽基部に取付けられ、第２部分は上方脚部と排水ピストンがうけ入れられる入口室を含んでいる。各部分は、スピゴットおよび脚部の頂部付近の各部分に位置決め構造物を通って横方向にうけ入れられる除去可能なピンによって固定されるソケットを押はめによって分離可能に連結され、脚部の底部付近に設置された別の構造物は垂直に摺動関係でうけ入れられる。
【００１２】
後者の発明は、サイフォン作用を促進するため排水ピストンを必要とする不便さを有し、その上複雑な構造体を有する。
【００１３】
サイフォンを形成するため他の種類の装置はヨーロッパ特許第０２０９４７７号に示され、該明細書は外部管状ケーシングと内側にフロートサイフォンベルを含む排水タンク用むフロートサイフォンベルを有する排水装置を示している。この装置は複雑な弁装置を必要とし、補修することを困難にかつ高価にしている。
【００１４】
他のベル型サイフォンはヨーロッパ特許第０３０２１５０号に記載されたもので、明細書は下方管上に設置された逆方向流れ指向要素を有するサイフォンを記載している。ベルの下端には弁装置が下方管に対して固定されている。ベルを押すことにより、水槽を排水するサイフォン作用が開始される。サイフォンを開始するため、他の発明のピストンと同様のものが必要であり、その理由はこのベルが、それが使用されるとき水がベル内に進入することを可能にする逆止弁のように作用するダイヤフラムを含むからである。そのような水はベルが押下げられるときダイヤフラムによってベルの制限部内に押込まれ。それゆえサイフォンを形成する。この場合、サイフォンの形成は、ダイヤフラムの機能に高度に依存する。さらに、サイフォンを形成するのに必要な制限部は、きわめて微妙であり、そこできわめて大きい圧力降下が発生され、そのことは、下方管における流れ面積がベルの上方部分における流れ面積より大きいため、トイレットの不十分な排水をもたらす。
【００１５】
さらに、排出管は水位上方にあるべきである。このことは排水が使用されていないとき水の漏洩を有効に阻止するが、それはサイフォンの形成を可能にするためのベルにおける流れ制限部およびダイヤフラムを必要とする理由である。
【発明の開示】
【発明が解決しようとする課題】
【００１６】
従来技術の欠点に留意して、本発明の目的は、サイフォン作用を開始するため水のジェット流を必要としない、サイフォン排水装置を得ることである。
【００１７】
本発明の別の目的は、サイフォン工程を開始するためピストンを必要としないサイフォン排水装置を得ることである。
【００１８】
本発明の一つの別の目的は、サイフォン工程を開始するためいかなる弁装置も必要としないサイフォン排水装置を得ることである。
【００１９】
本発明のさらに別の目的は、排水管内へのいかなる漏洩も残り得ない、サイフォン排水装置を得ることである。
【００２０】
本発明の付加的の目的は、その補修が安価かつ容易になるような簡単な構造を有するサイフォン排水装置を得ることである。
【課題を解決するための手段】
【００２１】
本発明の特徴と考えられる新規な特徴は、とくに請求項に記載されている。しかしながら、本発明自体他の特徴および利点とともに、下記の詳細なある実施例の説明を、添付図面を参照して一読するとき、もっともよく理解されるであろう。
【発明を実施するための最良の形態】
【００２２】
とくに図面、またとくに図１を参照すると、本発明のサイフォン排水装置１００の好適な実施例が図示されている。サイフォン排水装置は水槽２００の底面を越えて上方に延長し水槽２００の最高水位３００より低い高さを有する排出導管１２０、摺動導管１３０であって、前記摺動導管１３０が排出導管１２０の頂部にあるとき水槽２００の最高水位３００上方に上昇するのに十分な長さを有する前記摺動導管１３０を有し、摺動導管１３０は排出導管１２０と同心で、前記排出導管１２０を収容するのに十分な断面積を有し、また摺動導管１３０の頂部に向って水流を指向することによりサイフォンを開始しかつ維持する流れ指向要素１１０、シール装置であって、排出および摺動導管の間のシールを形成し互いに作動的に接合する前記シール装置、摺動導管を流れ指向要素１１０に接合するためのそして摺動導管１３０の頂部と流れ指向要素１１０との間に水が流れうるための空間を形成するための固定装置１７０、流れ指向要素１１０を摺動導管１３０に沿って上方に動かすためのフロート装置１６０，摺動導管１３０が排出導管１２０を越えて上方に動くことを阻止するための第１停止装置（１２１，１３１）、および、摺動導管１３０がそれが下方に移動するときシール装置の底部に到達することを阻止するための第２停止装置（１３１，１２２）よりなる。
【００２３】
本発明の好適な実施例において、シール装置はスリーブ１４０であり、さらにそれは前記スリーブ１４０を排出および摺動導管１２０，１３０にそれぞれら接合するための固定装置を有する。
【００２４】
本発明の好適な実施例において、スリーブ１４０の固定装置は好適には、接触接着材、クランプ、ピン、ボルトおよび止め金およびその組合わせのような接触接着財、機械的手段から選択される、
【００２５】
図１の好適な実施例において、スリーブ１４０の固定装置は、それぞれスリーブ１４０の上下端部に設置された一対の周辺クランプ１５０，１６０である。周辺クランプ１５０，１６０はそれぞれスリーブ１４０を排出導管１２０および摺動導管１３０にクランプする機能を有する。スリーブ１４０の両端には、完全なシールがスリーブ導管の間にクランプによって加えられる圧力によって得られ、そのことは水が摺動導管１３０と排出導管１２０との間に存在する間隙を流通することを阻止する。
【００２６】
一方、固定装置は好適にはボルト、ピン、突起、フランジ、ねじ要素、その組合わせまたは水流に間隙を形成し得るなにか他の固定手段から選択される。
【００２７】
本発明の好適な実施例において、固定装置１７０は、前記導管を流れ指向要素１１０の上部に接合するための、摺動導管１３０の上端と一体の複数のボルトであり、各ボルトはさらに、図１に示されたように、流れ指向要素１１０の頂部をボルトに固定するためナット等のような固定要素を有する。
【００２８】
スリーブ１４０が摩耗したとき、流れ指向要素１１０の頂部上のナットを除去し、クランプ１６０を露出するように、それを持上げることによって交換可能である。ついで、周辺クランプ１５０，１６０は摩耗したスリーブが除去され新しいものと交換されることができるように緩められなければならない。
【００２９】
本発明のサイフォン排水装置１１０の作用と関連して、図１は装置１１０がその停止位置、すなわち水槽２００が充填され排水作用を開始する準備ができたときの上方位置に設定されている。この位置において、流れ指向要素１１０はその最高の高さにあり、流れ指向要素１１０の頂部ならびに摺動導管１３０の上方部分は、水が（図示されない）便器に流れ込むことを阻止されるように、最高水位の上方に設置されている。
【００３０】
流れ指向要素１１０の最初の上方位置は、フロート装置１８０によって維持され、一方前記フロート装置による流れ指向要素１１０の上方運動は第１停止装置によって停止される。図１の好適な実施例において、第１停止装置は好適には摺動導管１３０の底部の第１周辺突出部分１３１および排出導管１２０の頂部の第２周辺突出部分１２１である。
【００３１】
排出導管１２０と摺動導管１３０との間の完全なシールは、好適にはゴムラテックス等のような可撓性材料から作られるスリーブ１４０によって達成される。好適な実施例において、スリーブ１４０はそれが縦方向に収縮、伸長することができるように設計される。図面から分かるように、スリーブ１４０は、好適にはその側壁に沿ってジグザグ状に設けられ、そのことは前記スリーブが、摺動導管１３０が排水および充填作用の間に上下に動かされるが、水が漏洩することを阻止するためシール状態を維持することを可能にしている。スリーブ１４０の上端は周辺クランプ１６０によって摺動導管１３０の下方部分に固定され、一方スリーブ１４０の下方部分は周辺クランプ１５０によって第２停止装置より低い排出導管１２０の部分に固定されている、
【００３２】
水槽の排水を開始するため、流れ指向要素１１０は図２に示された位置に達するように摺動導管１３０に沿って下方に押される。このことは、摺動導管を、記載中の実施例の第１および第２停止装置の形状により、排出導管１２０に形成される摺動通路１２３を通ってその周辺突出部分１３１上を下方に摺動させることによって実施される。摺動導管１３０は摺動通路１２３が終わる第２停止装置に達するまで下降する。好適な実施例において、第２停止装置は、第１停止装置の第１周辺突出部分１３１および排出導管１２０の下方部分に設置された第３周辺突出部分１２２よりなっている。
【００３３】
上記のように流れ指向要素１１０が滑り降りるとき、それは完全に水位３００の下方に達し水は押されて摺動導管１３０の頂部に達するまで前記要素の室内に流入し、それゆえ、水が下方位置にある便器に向って流れることを可能にするサイフォンを始動する。この点において、スリーブ１４０は図２に示されたように圧縮されるようになる。
【００３４】
排水作用は、サイフォンが、水位３００が流れ指向要素１１０の底部に達したことにより破断されるとき停止される。
【００３５】
この技術に通じた人々には明らかなように、フロート装置１８０が流れ指向要素１１０を上方に押す力は、排水作用中サイフォンを破断するのに必要な力をより小さくなければならない。それにもかかわらず、フロート装置１８０はサイフォンが水供給の停止のため破断されても、流れ指向要素１１０を上向きに動かすのに十分な力を発生しなければならない。
【００３６】
排水作用の終了後、フロート装置１８０は流れ指向要素１１０が水槽を充填するときの最初の位置に戻ることができるように使用される。水槽はこの技術において周知のもののようなフロート作動水供給弁を使用して再充填可能である。水位は不作動位置における摺動導管１３０の上端の高さより低い水位まで再充填される。
【００３７】
通常の供給弁が故障したとき、従来技術において使用されたような追加の溢流排出管の必要が存在しないことに言及する価値がある。前記故障が発生すると、流れ指向要素１１０は水を摺動導管１３０の上端に向って案内し、前記導管は供給弁が固定され水位が再び不作動位置における前記状態の水位より低くなるまで溢流排出管として作用する。
【００３８】
本発明の好適な実施例において、フロート装置１８０は流れ指向要素１１０の側壁の反対側に、好適には水槽の縦軸に一致して配置された一対のフロートである。
【００３９】
フロート装置の別の実施例において、流れ指向要素を上向けに動かすことができるならば、ただ一つの円形フロートのような、何らかの形状または配置の少なくとも一つのフロートである。
【００４０】
本発明のさらに別の実施例において、流れ指向要素１１０は、対応する供給弁の設計に従って、便器を適宜の水位まで充填するため摺動導管１３０内に直接終わるホースを導入するため、好適には頂部に開口を有する。
【００４１】
最後に、図３の本発明装置の斜視図は、本発明の構造の好適な実施例の一層よい理解を可能にするものである。流れ指向要素１１０、スリーブ１４０、クランプ１５０およびフロート装置１８０の外部が認識可能である
【００４２】
一方、この技術において周知の押下げ装置は、流れ指向要素を下方に押して、サイフォン作用を開始するため必要である。図４に示された本発明の好適な実施例において、サイフォン排水装置は、方向Ａの押下げ作用を実施するため垂直軸４００に組合わされている。
【００４３】
同様に、図５はこの技術において使用されるもののように、レバー５００に組合わされるサイフォン排水装置を示している。前記レバーはＢ方向に上方に押されるとき引続いて流れ指向要素１１０を下方に押す。
【００４４】
上記に記載されたものによれば、本発明のサイフォン排水装置は、装置が不作動位置にある間水の漏洩を阻止するが追加の弁装置またはピストン作用の必要なしにサイフォンを形成するように設計されていることが分かるであろう。さらに、この技術に通じた人々には、上記に記載され添付図面に図示されたサイフォン排水装置の実施例は、発明の範囲から逸脱することなく、細部において多くの可能な変化が存在するため、単に説明のためのもので本発明を限定するものでないことが明らかであろう。
【００４５】
本発明のある特殊な実施例が図示されかつ記載されたが、流れ指向要素の異なった形状。固定装置の固定の異なった性質および材料、停止装置の異なった形状ならびにシールおよびフロート装置の異なった構造または材料のような、多くの変形が可能であることを理解すべきである。
【図面の簡単な説明】
【００４６】
【図１】本発明の原理に従って構成された、その不作動位置に設定されたサイフォン排水装置の断面図。
【図２】作用中の図１のサイフォン排水装置の断面図。
【図３】図１のサイフォン排水装置の斜視図。
【図４】図１のサイフォン排水装置の押さげ装置の好適な実施例の断面図。
【図５】図１のサイフォン排水装置の押さげ装置の別の実施例の断面図。
【国際公開パンフレット】
2004520506.tif 000003
2004520506.tif 000004
2004520506.tif 000005
2004520506.tif 000006
2004520506.tif 000007
2004520506.tif 000008
2004520506.tif 000009
2004520506.tif 000010
2004520506.tif 000011
2004520506.tif 000012
2004520506.tif 000013
2004520506.tif 000014
2004520506.tif 000015
2004520506.tif 000016
2004520506.tif 000017
2004520506.tif 000018
2004520506.tif 000019
2004520506.tif 000020
2004520506.tif 000021
【国際調査報告】
2004520506.tif 000022
2004520506.tif 000023